(57)【要約】【課題】誤ってスヌーズ動作を解除してしまうことを防止でき、レイアウト設計やデザイン設計に与える制約をもなくすことができる電子機器およびその制御方法を提供する。【解決手段】タイマ時刻が到来しＣＤ再生ユニット３６がＣＤの再生動作を実行している際に、スヌーズ釦２２以外の操作スイッチを誤って操作しても、スヌーズ釦２２以外の操作スイッチに関連付けられた動作は実行されることなく、スヌーズ動作が支障なく実行される。【選択図】        図１
2005009915.tif 000002
【特許請求の範囲】
【請求項１】
１以上の操作スイッチと、
スヌーズスイッチと、
前記操作スイッチに関連付けられた動作を実行できるように構成された被制御手段と、
前記操作スイッチに対する操作がなされたことを検出し、前記操作がなされた操作スイッチに関連付けられた動作を前記被制御手段に実行させ、タイマ時刻が到来したときに前記被制御手段に所定の動作を実行させる制御手段とを備え、
前記制御手段は、前記タイマ時刻が到来して前記被制御手段が前記所定の動作を実行している状態で前記スヌーズスイッチが操作されたことを検出すると、スヌーズ動作を行なうように構成された電子機器において、
前記制御手段は、前記タイマ時刻が到来し、前記被制御手段が前記所定の動作を実行している状態では、前記操作スイッチに対する操作がなされたことの検出を無効とするように構成されている、
ことを特徴とする電子機器。
【請求項２】
１以上の操作スイッチと、
スヌーズスイッチと、
前記操作スイッチに関連付けられた動作を実行できるように構成された被制御手段と、
前記操作スイッチに対する操作がなされたことを検出し、前記操作がなされた操作スイッチに関連付けられた動作を前記被制御手段に実行させ、タイマ時刻が到来したときに前記被制御手段に所定の動作を実行させる制御手段とを備え、
前記制御手段は、前記タイマ時刻が到来して前記被制御手段が前記所定の動作を実行している状態で前記スヌーズスイッチが操作されたことを検出すると、スヌーズ動作を行なうように構成された電子機器において、
前記制御手段は、前記タイマ時刻が到来し、前記被制御手段が前記所定の動作を実行している状態において前記操作スイッチの何れかが操作されたことを検出した場合、前記スヌーズ動作を行なうように構成されていることを特徴とする電子機器。
【請求項３】
１以上の操作スイッチと、
前記操作スイッチに関連付けられた動作を実行できるように構成された被制御手段と、
前記操作スイッチに対する操作がなされたことを検出し、前記操作がなされた操作スイッチに関連付けられた動作を前記被制御手段に実行させ、タイマ時刻が到来したときに前記被制御手段に所定の動作を実行させる制御手段とを備え、
前記制御手段は、前記タイマ時刻が到来して前記被制御手段が前記所定の動作を実行している状態において前記操作スイッチの何れかが操作されたことを検出した場合、スヌーズ動作を行なうように構成されている、
ことを特徴とする電子機器。
【請求項４】
前記被制御手段は音声を発生するように構成され、前記所定の動作は前記音声を発生する動作であることを特徴とする請求項１、２または３記載の電子機器。
【請求項５】
前記被制御手段はラジオ、テレビチューナー、ＣＤプレーヤー、ＭＤプレーヤー、ＤＶＤプレーヤー、ビデオデッキ、カセットテープレコーダの少なくとも１つを含み、前記所定の動作は前記ラジオ、テレビチューナー、ＣＤプレーヤー、ＭＤプレーヤー、ＤＶＤプレーヤー、ビデオデッキ、カセットテープレコーダの少なくとも１つによって生成される音声信号に基づく音声を発生させる動作であることを特徴とする請求項１、２または３記載の電子機器。
【請求項６】
前記電子機器は、前記制御手段および被制御手段が設けられた本体を有し、前記操作スイッチは前記本体に設けられていること請求項１、２または３記載の電子機器。
【請求項７】
前記電子機器は、前記本体と別体に構成されたリモートコントロール装置をさらに備え、前記操作スイッチは前記リモートコントロール装置に設けられ、前記制御手段による前記操作スイッチの操作の検出は前記リモートコントロール装置と前記制御手段との間に形成される無線回線を介してなされるように構成されていることを特徴とする請求項１、２または３記載の電子機器
【請求項８】
１以上の操作スイッチと、スヌーズスイッチと、前記操作スイッチに関連付けられた動作を実行できるように構成された被制御手段とを備えた電子機器の制御方法であって、
前記操作スイッチに対する操作がなされたことを検出し、前記操作がなされた操作スイッチに関連付けられた動作を前記被制御手段に実行させ、
タイマ時刻が到来したときに前記被制御手段に所定の動作を実行させ、
前記タイマ時刻が到来し、前記被制御手段が前記所定の動作を実行している状態で前記スヌーズスイッチが操作されたことを検出すると、スヌーズ動作を行ない、
前記タイマ時刻が到来して前記被制御手段が前記所定の動作を実行している状態では、前記操作スイッチに対する操作がなされたことの検出を無効とする、
ことを特徴とする電子機器の制御方法。
【請求項９】
１以上の操作スイッチと、スヌーズスイッチと、前記操作スイッチに関連付けられた動作を実行できるように構成された被制御手段とを備えた電子機器の制御方法であって、
前記操作スイッチに対する操作がなされたことを検出し、前記操作がなされた操作スイッチに関連付けられた動作を前記被制御手段に実行させ、
タイマ時刻が到来したときに前記被制御手段に所定の動作を実行させ、
前記タイマ時刻が到来し、前記被制御手段が前記所定の動作を実行している状態で前記スヌーズスイッチが操作されたことを検出すると、スヌーズ動作を行ない、
前記タイマ時刻が到来し、前記被制御手段が前記所定の動作を実行している状態において前記操作スイッチの何れかが操作されたことを検出すると、前記スヌーズ動作を行なう、
ことを特徴とする電子機器の制御方法。
【請求項１０】
１以上の操作スイッチと、前記操作スイッチに関連付けられた動作を実行できるように構成された被制御手段とを備えた電子機器の制御方法であって、
前記操作スイッチに対する操作がなされたことを検出し、前記操作がなされた操作スイッチに関連付けられた動作を前記被制御手段に実行させるように構成され、かつ、タイマ時刻が到来したときに前記被制御手段に所定の動作を実行させ、
前記タイマ時刻が到来し、前記被制御手段が前記所定の動作を実行している状態で前記操作スイッチの何れかが操作されたことを検出すると、スヌーズ動作を行なう、
ことを特徴とする電子機器の制御方法。
【発明の詳細な説明】
【０００１】
【発明の属する技術分野】
本発明は、スヌーズ動作を行なう電子機器およびその制御方法に関する。
【０００２】
【従来の技術】
従来より、例えばＣＤラジカセ、ステレオ、テレビ等の電子機器においては、一般的にタイマ機能、スヌーズ機能を備え、設定されたタイマ時刻が到来すると、起動を開始し音楽を鳴らしたり、ラジオ放送やテレビ放送を始めたりして目覚まし時計の代用を果たすことが可能となっている（例えば特許文献１参照）。
そして電子機器のタイマ時刻による起動後、スヌーズ釦を操作すると、スヌーズ動作、すなわち、所定時間が経過するまで起動を停止した後、再び音楽を鳴らす等といった動作が行われ、例えばこの繰り返しで使用者が確実に目覚めるよう支援することができる。
【０００３】
ここで、従来の電子機器におけるスヌーズ動作を図４に示すフローチャートを参照し簡単に説明する。まず、タイマ釦の操作で目覚まし機能としてのＣＤの音楽再生を開始する時刻（タイマ時刻）を設定しておく。
そしてタイマ時刻の到来によりタイマオンとなり（ステップ４０１）、これによりＣＤオンとなってＣＤの音楽再生が行われると（ステップ４０２）、使用者により各種操作釦（ＫＥＹ）が操作されたか否かが判定される（ＫＥＹチェック：ステップ４０３）。
このとき、スヌーズ釦の操作が判定された場合は所望通り上述したスヌーズ動作に移るが（ステップ４０４）、例えば使用者の誤りにより、バンド釦の操作が判定された場合はラジオ出力に切換わってしまい（ステップ４０５）、プレイ／ポーズ釦の操作が判定された場合はＣＤ再生がポーズ状態に切換わってしまい（ステップ４０６）、イジェクト釦の操作が判定された場合はＣＤイジェクトの動作が実行されてしまう（ステップ４０７）。
また、ＣＤストップ釦の操作が判定された場合は勿論ＣＤの音楽再生が止まってしまうが（ステップ４０８）、パワー釦の操作が判定された場合はパワーオフとなるとともにスヌーズ動作が解除されてしまう（ステップ４０９）。
【０００４】
このようにタイマ時刻が到来した後、スヌーズ釦を操作せず、誤った操作釦を操作してしまうと、ＣＤラジカセ自体が誤った操作通りに別の動作を始めてしまうばかりか、スヌーズ動作を解除してしまう場合もあり、したがって使用者が再び睡眠に入り全く役に立たずに時が過ぎてしまうという場合もあり得た。
このため、ＣＤラジカセ等の電子機器においては、例えば未明の暗いうちでも手探りでスヌーズ釦を探し出せるようにスヌーズ釦自体を大きくしたり、スヌーズ釦の設置場所を手探りでも分かり易い位置に設定したり、あるいはスヌーズ釦を他の操作釦と離れた特段の位置に設置したりすることで上述のような誤りが起こらないように種々工夫を凝らしていた。
【０００５】
【特許文献１】
特開平１２−２６０１０３号公報
【０００６】
【発明が解決しようとする課題】
従来の電子機器においては、未明でもスヌーズ釦を手探りで探し出せるようにスヌーズ釦自体を大きくしたり、分かり易い位置に設置したり、あるいはスヌーズ釦の設置位置と他の操作釦の設置位置とをある程度離れた位置に設定することを前提にレイアウト設計を考えたり、かつ場合によっては外観を構成するハウジング自体のデザインの決定をも熟慮を重ねたりしなければならず、すなわちスヌーズ釦の存在が設計およびデザイン設計に大きな制約を与えるものとなっており、この点改善されることが求められていた。
【０００７】
本発明は、以上のような課題に鑑みてなされたもので、誤ってスヌーズ動作を解除してしまうことを防止でき、電子機器のレイアウト設計やデザイン設計に与える制約をもなくすことができる電子機器およびその制御方法を提供することを目的とする。
【０００８】
【課題を解決するための手段】
本発明に係る電子機器は、１以上の操作スイッチと、スヌーズスイッチと、前記操作スイッチに関連付けられた動作を実行できるように構成された被制御手段と、前記操作スイッチに対する操作がなされたことを検出し、前記操作がなされた操作スイッチに関連付けられた動作を前記被制御手段に実行させ、タイマ時刻が到来したときに前記被制御手段に所定の動作を実行させる制御手段とを備え、前記制御手段は、前記タイマ時刻が到来して前記被制御手段が前記所定の動作を実行している状態で前記スヌーズスイッチが操作されたことを検出すると、スヌーズ動作を行なうように構成された電子機器において、前記制御手段は、前記タイマ時刻が到来し、前記被制御手段が前記所定の動作を実行している状態では、前記操作スイッチに対する操作がなされたことの検出を無効とするように構成されていることを特徴とする。
そのため、タイマ時刻が到来し被制御手段が所定の動作を実行している際に、スヌーズスイッチ以外の操作スイッチを誤って操作しても、操作スイッチに関連付けられた動作は実行されることなく、スヌーズ動作が支障なく実行される。
【０００９】
また、本発明に係わる電子機器は、１以上の操作スイッチと、スヌーズスイッチと、前記操作スイッチに関連付けられた動作を実行できるように構成された被制御手段と、前記操作スイッチに対する操作がなされたことを検出し、前記操作がなされた操作スイッチに関連付けられた動作を前記被制御手段に実行させ、タイマ時刻が到来したときに前記被制御手段に所定の動作を実行させる制御手段とを備え、前記制御手段は、前記タイマ時刻が到来して前記被制御手段が前記所定の動作を実行している状態で前記スヌーズスイッチが操作されたことを検出すると、スヌーズ動作を行なうように構成された電子機器において、前記制御手段は、前記タイマ時刻が到来し、前記被制御手段が前記所定の動作を実行している状態において前記操作スイッチの何れかが操作されたことを検出した場合、前記スヌーズ動作を行なうように構成されていることを特徴とする。
そのため、タイマ時刻が到来し被制御手段が所定の動作を実行している際に、スヌーズスイッチ以外の操作スイッチを誤って操作しても、操作スイッチに関連付けられた動作は実行されることなく、スヌーズ動作が支障なく実行される。
【００１０】
また、本発明に係わる電子機器は、１以上の操作スイッチと、前記操作スイッチに関連付けられた動作を実行できるように構成された被制御手段と、前記操作スイッチに対する操作がなされたことを検出し、前記操作がなされた操作スイッチに関連付けられた動作を前記被制御手段に実行させ、タイマ時刻が到来したときに前記被制御手段に所定の動作を実行させる制御手段とを備え、前記制御手段は、前記タイマ時刻が到来して前記被制御手段が前記所定の動作を実行している状態において前記操作スイッチの何れかが操作されたことを検出した場合、スヌーズ動作を行なうように構成されていることを特徴とする。
そのため、タイマ時刻が到来し被制御手段が所定の動作を実行している際に、何れの操作スイッチを操作しても、操作スイッチに関連付けられた動作は実行されることなく、スヌーズ動作が支障なく実行される。
【００１１】
また、本発明に係わる電子機器の制御方法は、１以上の操作スイッチと、スヌーズスイッチと、前記操作スイッチに関連付けられた動作を実行できるように構成された被制御手段とを備えた電子機器の制御方法であって、前記操作スイッチに対する操作がなされたことを検出し、前記操作がなされた操作スイッチに関連付けられた動作を前記被制御手段に実行させ、タイマ時刻が到来したときに前記被制御手段に所定の動作を実行させ、前記タイマ時刻が到来し、前記被制御手段が前記所定の動作を実行している状態で前記スヌーズスイッチが操作されたことを検出すると、スヌーズ動作を行ない、前記タイマ時刻が到来して前記被制御手段が前記所定の動作を実行している状態では、前記操作スイッチに対する操作がなされたことの検出を無効とすることを特徴とする。
そのため、タイマ時刻が到来し被制御手段が所定の動作を実行している際に、スヌーズスイッチ以外の操作スイッチを誤って操作しても、操作スイッチに関連付けられた動作は実行されることなく、スヌーズ動作が支障なく実行される。
【００１２】
また、本発明に係わる電子機器の制御方法は、１以上の操作スイッチと、スヌーズスイッチと、前記操作スイッチに関連付けられた動作を実行できるように構成された被制御手段とを備えた電子機器の制御方法であって、前記操作スイッチに対する操作がなされたことを検出し、前記操作がなされた操作スイッチに関連付けられた動作を前記被制御手段に実行させ、タイマ時刻が到来したときに前記被制御手段に所定の動作を実行させ、前記タイマ時刻が到来し、前記被制御手段が前記所定の動作を実行している状態で前記スヌーズスイッチが操作されたことを検出すると、スヌーズ動作を行ない、前記タイマ時刻が到来し、前記被制御手段が前記所定の動作を実行している状態において前記操作スイッチの何れかが操作されたことを検出すると、前記スヌーズ動作を行なうことを特徴とする。
そのため、タイマ時刻が到来し被制御手段が所定の動作を実行している際に、スヌーズスイッチ以外の操作スイッチを誤って操作しても、操作スイッチに関連付けられた動作は実行されることなく、スヌーズ動作が支障なく実行される。
【００１３】
また、本発明に係わる電子機器の制御方法は、１以上の操作スイッチと、前記操作スイッチに関連付けられた動作を実行できるように構成された被制御手段とを備えた電子機器の制御方法であって、前記操作スイッチに対する操作がなされたことを検出し、前記操作がなされた操作スイッチに関連付けられた動作を前記被制御手段に実行させるように構成され、かつ、タイマ時刻が到来したときに前記被制御手段に所定の動作を実行させ、前記タイマ時刻が到来し、前記被制御手段が前記所定の動作を実行している状態で前記操作スイッチの何れかが操作されたことを検出すると、スヌーズ動作を行なうことを特徴とする。
そのため、タイマ時刻が到来し被制御手段が所定の動作を実行している際に、何れの操作スイッチを操作しても、操作スイッチに関連付けられた動作は実行されることなく、スヌーズ動作が支障なく実行される。
【００１４】
【発明の実施の形態】
以下、図１および図２を参照し本発明の第１の実施の形態について説明する。
図１は本発明の第１の実施の形態に係わる電子機器（本例ではＣＤラジカセに適用する）の制御手段の構成を含むＣＤラジカセ１０の主要部の構成を示す回路構成図である。
図１に示すように、本実施の形態のＣＤラジカセ１０は、不図示の本体を有し、前記本体内には、商用電源に接続するプラグ１２、商用電源の電圧、電流を逓減するパワートランス１４、および整流回路１６を有する電源入力部１８が設けられている。
また、前記本体の外面には、タイマ設定釦２０、スヌーズ釦２２（スヌーズスイッチ）、バンド釦２４、プレイ／ポーズ釦２６、イジェクト釦２８、ＣＤストップ釦３０、および、スヌーズ動作を解除する操作スイッチを兼ねるパワー釦３２等が設けられている。以下では、タイマ設定釦２０、バンド釦２４、プレイ／ポーズ釦２６、イジェクト釦２８、ＣＤストップ釦３０、パワー釦３２を総称して操作スイッチ３４という。
【００１５】
前記本体内には、ＣＤ（光ディスク）に記録された音楽情報の再生動作（特許請求の範囲の所定の動作に相当）を行なうＣＤ再生ユニット３６と、ＡＭ，ＦＭラジオ放送を受信するラジオチューナユニット３８と、カセットテープに記録された音楽情報等を再生するテープ再生ユニット４０とが設けられている。
また、ＣＤ再生ユニット３６の出力、ラジオチューナユニット３８の出力、テープ再生ユニット４０の出力の接続を切換える接続切換回路４２と、接続切換回路４２により接続された前記各ユニット３６，３８，４０の何れかの出力の音量を調整するボリューム４４と、ボリューム４４の調整量に対応した出力に増幅するアンプ４６と、アンプ４６で増幅した出力とともに駆動するスピーカ４８とが設けられている。
本実施の形態では、ＣＤ再生ユニット３６、ラジオチューナユニット３８、テープ再生ユニット４０、接続切換回路４２、ボリューム４４、アンプ４６、スピーカ４８によって特許請求の範囲の被制御手段が構成されている。
前記本体内には、電源入力部１８からの前記各ユニット３６，３８，４０への電源供給を制御するトランジスタ５２，５４が設けられている。
【００１６】
また、前記本体内には、以下の機能を有するマイコン５６が設けられている。
マイコン５６は、操作スイッチ３４の操作を検出してトランジスタ５２，５４を駆動するとともに前記各ユニット３６，３８，４０の駆動を制御する駆動制御機能、操作スイッチ３４の操作を検出して接続切換回路４２を制御する接続制御機能、バンド釦２４の操作に対応して前記各ユニット３６，３８，４０の駆動を切換えるバンド機能、プレイ／ポーズ釦２６の操作に対応してＣＤのプレイ／ポーズを制御するプレイ／ポーズ機能、イジェクト釦２８の操作に対応してＣＤイジェクトを実行するＣＤイジェクト機能、および、ＣＤストップ釦３０の操作に対応してＣＤストップを制御するＣＤストップ機能、時計機能、タイマ設定釦２０の操作に対応して目覚まし時刻（つまりタイマ時刻）を設定した場合にタイマ時刻の到来を検出して例えば目覚しとしての所定の機能であるＣＤ再生ユニット３６の起動を開始させるタイマ機能（目覚まし機能）などを備える。
また、マイコン５６は、スヌーズ釦２２の操作を検出すると、スヌーズ動作、すなわち、所定の休止時間の経過時に再びＣＤ再生ユニット３６の音楽再生動作を行わせるように構成されている。
【００１７】
なお、本実施の形態に係わる電子機器（ＣＤラジカセ１０）の制御手段は、主にマイコン５６で構成されるものであり、詳しく図示しないが例えばメモリに格納した所定の各種プログラムと、各種プログラムの命令を解析する命令解析部および解析された命令を実行する制御実行部等を備えたＣＰＵとにより構成されるものである。
【００１８】
次に、図２に示すフローチャートを参照してＣＤラジカセ１０の動作について説明する。
まず、ステップ２０１においてタイマ設定釦２０の操作により目覚まし時刻であるタイマ時刻の設定によるタイマセットが行われたか否かを判定する。タイマセットが行われた場合、ステップ２０２においてフラグＦを０に設定するとともにタイマ機能を起動させる。
そして時間経過によりタイマ時刻が到来したことで、ステップ２０３においてタイマオンの処理が行われ、かつステップ２０４においてＣＤオンによるＣＤの音楽再生が実行されると、ステップ２０５においてキーチェック、すなわち操作スイッチ３４のうち何れかの釦、つまりタイマ設定釦２０やスヌーズ釦２２等の何れかの釦が操作されたか否かを判定する。
【００１９】
ステップ２０５においてスヌーズ釦２２が操作されたことが判定された場合、ステップ２０６に進みスヌーズ動作（スヌーズ処理）を指令する指令信号をＣＰＵの命令解析部に出力させ、これによりスヌーズ動作を行い、再びステップ２０５に戻る。以後、この処理は繰り返し行なうことが可能である。
しかし、ステップ２０５においてバンド釦２４が操作されたことが判定された場合は、ステップ２０７に進みフラグＦが１であるか否かを判定し、フラグＦが１でなはなく、Ｎｏである場合（すなわち現時点ではＦ＝０である）、ステップ２２０に進みバンド釦２４の操作を無効にしてＣＰＵの命令解析部に対しバンド切換を指令する指令信号の出力を禁止した上でステップ２０５に戻る。
また、ステップ２０５においてプレイ／ポーズ釦２６が操作されたことが判定された場合は、ステップ２０９に進みフラグＦが１であるか否かを判定し、ここでフラグＦが１ではなく判定結果がＮｏである場合（すなわち現時点ではＦ＝０である）、ステップ２２０に進みプレイ／ポーズ釦２６の操作を無効にしてＣＰＵの命令解析部に対しポーズ動作を指令する指令信号の出力を禁止しステップ２０５に戻る。
【００２０】
また、ステップ２０５においてイジェクト釦２８が操作されたことが判定された場合は、ステップ２１１に進みフラグＦが１であるか否かを判定し、ここでフラグＦが１ではなく判定結果がＮｏである場合（すなわち現時点ではＦ＝０である）、ステップ２２０に進みイジェクト釦２８の操作を無効にしてＣＰＵの命令解析部に対しイジェクト動作を指令する指令信号の出力を禁止しステップ２０５に戻る。
また、ステップ２０５においてＣＤストップ釦３０が操作されたことが判定された場合は、ステップ２１３に進みフラグＦが１であるか否かを判定し、ここでフラグＦが１ではなく判定結果がＮｏである場合（すなわち現時点ではＦ＝０である）、ステップ２２０に進みＣＤストップ釦３０の操作を無効にしてＣＰＵの命令解析部に対しＣＤストップ動作を指令する指令信号の出力を禁止しステップ２０５に戻る。
【００２１】
したがって以上のようにタイマ機能が作動を始めた後、フラグＦが０である間は、バンド釦２４、プレイ／ポーズ釦２６、イジェクト釦２８、もしくはＣＤストップ釦３０等が操作されたとても、ＣＤラジカセ１０はそのような操作に対応した動作は行わず、スヌーズ動作に悪影響を与えることはない。
なお、上述の指令信号の出力を禁止する代わりにＣＰＵの制御実行部がその指令信号に対応する制御を実行しないようにすることにより上述の如く余計な動作を禁止するようにしても同一の結果が得られる。
【００２２】
一方、ステップ２０５においてパワー釦３２が操作されたことが判定された場合は、ステップ２１５に進みパワーオフの処理を行なうとともにスヌーズ動作を解除し、かつステップ２１６に進みフラグＦを１にしてステップ２０５に戻る。
このようにしてパワー釦３２が操作されたことによりフラグＦが１に設定された後においては、ステップ２０５においてバンド釦２４、プレイ／ポーズ釦２６、イジェクト釦２８、もしくはＣＤストップ釦３０等の操作が判定された場合、ステップ２０７、ステップ２０９、ステップ２１１、もしくはステップ２１３において何れもＹｅｓと判定されるため、ステップ２０８におけるバンド切換の機能、つまり例えばラジオ切換の処理、ステップ２１０におけるＣＤのプレイ／ポーズ機能の処理、ステップ２１２におけるＣＤイジェクト機能の処理、もしくはステップ２１４におけるＣＤストップ機能の処理の何れもが可能となり、すなわちＣＤラジカセ１０が操作スイッチ３４のバンド釦２４等に対応した各種動作を行うことが可能となる。
【００２３】
本実施の形態においては、タイマ時刻の到来時に、マイコン５６が、スヌーズ釦２２およびパワー釦３２以外の前記各種釦つまりバンド釦２４等の操作を無効とするため、使用者が誤ってバンド釦２４等を操作してしまったとしてもスヌーズ動作に悪影響を与えることがなく、しかもスヌーズ釦２２を含む操作スイッチ３４のレイアウト設計が容易となり、このためそのレイアウト設計やハウジングのデザイン設計にかかる制約を大幅に低減することができ、新製品開発に要する時間を短縮することが可能となる。
【００２４】
なお、本実施の形態においては、所定のプログラムおよびＣＰＵを用いて制御手段を構成する場合について説明したが、制御手段は、タイマ機能の起動後、スヌーズ釦２２およびパワー釦３２以外の各種釦、つまりバンド釦２４等の操作に伴う出力を禁止する例えば論理素子等を用いた出力禁止回路（電子回路）で構成してもよい。
【００２５】
次に、図１および図３を参照し本発明の第２の実施の形態について説明する。
本発明の第２の実施の形態に係わる電子機器（本例でもＣＤラジカセ１０に適用する）は、タイマ時刻が到来したことによりＣＤラジカセ１０が所定の動作、すなわち目覚ましとしてのＣＤ（光ディスク）の音楽再生を開始した時点で、スヌーズボタン２２以外の操作スイッチ３４が操作されても、スヌーズ動作を行なうようにした点が第１の実施の形態と異なっている。
したがってその他の構成は第１の実施の形態で説明した構成と基本的に等しいものであり、詳しい説明は省略する。
【００２６】
次に、図３に示すフローチャートを参照し、本実施の形態のＣＤラジカセ１０の動作について説明する。
なお、図３に示すフローチャートは図２に示したフローチャートの一部を変更したものであり、同一のステップには同一の符号を付して詳しい説明は省略する。
まず、本例の場合もタイマ時刻の到来によりＣＤの音楽再生が行われた後、ステップ２０５においてスヌーズ釦２２が操作されたことが判定された場合の処理は上述と同様であり、かつフラグＦが０である間に、ステップ２０５においてバンド釦２４、プレイ／ポーズ釦２６、イジェクト釦２８、ＣＤストップ釦３０等が操作されたことが判定された場合も、ステップ２０７、ステップ２０９、ステップ２１１、ステップ２１３において何れもＮｏと判定される点も上述と同様である。
一方、ステップ２０７、ステップ２０９、ステップ２１１、ステップ２１３においてＮｏと判定された場合、何れもステップ３２０に進みバンド釦２４、プレイ／ポーズ釦２６、イジェクト釦２８、もしくはＣＤストップ釦３０等の操作による指令信号の出力を例えばテーブルを介してスヌーズ動作を指令する指令信号に変換しＣＰＵの命令解析部に出力する。
【００２７】
したがって以上のようにタイマ機能が作動を始めた後、フラグＦが０である間は、バンド釦２４、プレイ／ポーズ釦２６、イジェクト釦２８、もしくはＣＤストップ釦３０等が操作されたとても、ＣＤラジカセ１０はそのような操作に対応した動作は行わずに、スヌーズ動作に移るため、誤ってスヌーズ動作に悪影響を与えることはない。
なお、前記バンド釦２４等の指令信号の出力に際しＣＰＵの制御実行部がフラグＦが０である間は、その指令信号の内容を無視してスヌーズ動作を実行するようにしても同一の結果が得られる。
【００２８】
一方、パワー釦３２が操作されたことで、ステップ２１６においてフラグＦが１に設定された後は、ステップ２０５においてバンド釦２４、プレイ／ポーズ釦２６、イジェクト釦２８、もしくはＣＤストップ釦３０等の操作が判定された場合、ステップ２０７、ステップ２０９、ステップ２１１、もしくはステップ２１３において何れもＹｅｓと判定されるため、ステップ２０８におけるバンド切換、つまりラジオ切換の処理、ステップ２１０におけるＣＤのプレイ／ポーズ機能の処理、ステップ２１２におけるＣＤイジェクト機能の処理、もしくはステップ２１４におけるＣＤストップ機能の処理の何れもが可能となり、すなわちＣＤラジカセ１０が操作スイッチ３４のバンド釦２４等に対応した各種動作を行うことが可能となる。
【００２９】
本実施の形態においても、第１の実施の形態と同様に、使用者が誤ってバンド釦２４等を操作してしまったとしてもスヌーズ動作に悪影響を与えることがなく、したがってスヌーズ釦２２を含む操作スイッチ３４のレイアウト設計が容易となり、同じくそのレイアウト設計やハウジングのデザイン設計にかかる制約を大幅に低減することができ、新製品開発に要する時間を短縮することが可能となる。
【００３０】
なお、本実施の形態においては、所定のプログラムおよびＣＰＵを用いて制御手段を構成する場合について説明したが、制御手段は、タイマ機能の起動後、スヌーズ釦２２およびパワー釦３２以外の操作スイッチつまりバンド釦２４等が操作された場合、出力を変更してスヌーズ動作を開始させる例えば論理素子等を用いた出力変更回路（電子回路）で構成してもよい。
また、第１、第２の実施の形態では、被制御手段がＣＤ再生ユニット３６であり、被制御手段が実行する所定の動作が音楽再生動作であるものとして説明したが、被制御手段はラジオチューナユニット３８あるいはテープ再生ユニット４０であってもよく、この場合、前記所定の動作はラジオ受信動作、テープ再生動作となる。
【００３１】
次に変形例について説明する。
第１の変形例は、第２の実施の形態においてスヌーズスイッチを省略したものである。
すなわち、マイコン５６は、該マイコン５６にタイマ機能が設定され、被制御手段としてのＣＤ再生ユニット３６がＣＤの音楽再生を実行している状態で前記操作スイッチ３４の何れかが操作されたことを検出すると、前記操作された操作スイッチ３４に関連付けられた動作を前記被制御手段に実行させることなく、ＣＤ再生ユニット３６によるＣＤの音楽再生を所定の休止時間だけ停止させ、該休止時間が経過した後、ＣＤ再生ユニット３６に再びＣＤの音楽再生を実行させるスヌーズ動作を行なわせる。
このような構成によれば、第２の実施の形態の効果に加えて、スヌーズスイッチを省略することができコストダウンを図る上で有利となる。
【００３２】
また、第２の変形例として次のように構成することもできる。
すなわち、電子機器は、前記本体と別体に構成されたリモートコントロール装置をさらに備え、前記操作スイッチは前記リモートコントロール装置に設けられ、前記制御手段による前記操作スイッチの操作の検出、すなわち前記指令信号の検出は、前記リモートコントロール装置と前記制御手段との間に形成される無線回線を介してなされるように構成する。前記無線回線は、例えば超音波信号、電波信号、あるいは赤外線信号等の無線信号を伝送するものである。
【００３３】
なお、上述した各実施の形態においては、電子機器がＣＤラジカセ１０で構成されている場合を例に説明したが、本発明はこれに限定されるものではなく、ラジオ、テレビチューナー、ＣＤプレーヤー、ＭＤプレーヤー、ＤＶＤプレーヤー、ビデオデッキ、カセットテープレコーダなどの電子機器や、これらを任意に組み合わせた複合電子機器に適用可能であることは無論である。
この場合、本発明をこれらの電子機器に適用した場合、「所定の動作」は、ラジオにおける受信動作、テレビチューナーにおける受信動作、ＣＤプレーヤーにおけるＣＤの再生動作、ＭＤプレーヤーにおけるＭＤの再生動作、ＤＶＤプレーヤーによるＤＶＤの再生動作、ビデオデッキによるビデオテープの再生動作、カセットテープレコーダによるカセットテープの再生動作に相当することになる。
【００３４】
【発明の効果】
本発明の電子機器および制御方法によれば、誤ってスヌーズ動作を解除してしまうことを防止でき、かつ操作スイッチのレイアウト設計や外観上のデザイン設計に与えていた制約をなくすことができ、これによりレイアウト設計やデザイン設計が容易となり新製品開発に要する時間を短縮することも可能となる。
【図面の簡単な説明】
【図１】本発明の第１の実施の形態に係わる電子機器の制御手段の構成を示す回路構成図である。
【図２】本発明の第１の実施の形態に係わる電子機器の制御動作を示すフローチャートである。
【図３】本発明の第２の実施の形態に係わる電子機器の制御動作を示すフローチャートである。
【図４】従来の技術を示すフローチャートである。
【符号の説明】
１０……ＣＤラジカセ、１２……プラグ、１４……パワートランジスタ、１６……整流回路、１８……電源入力部、２０……タイマ設定釦、２２……スヌーズ釦、２４……バンド釦、２６……プレイ／ポーズ釦、２８……イジェクト釦、３０……ＣＤストップ釦、３２……パワー釦、３４……操作スイッチ、３６……ＣＤ再生ユニット、３８……ラジオチューナユニット、４０……テープ再生ユニット、４２……接続切換回路、４４……ボリューム、４６……アンプ、４８……スピーカ、５２，５４……トランジスタ、５６……マイコン。
【図１】
2005009915.tif 000003
【図２】
2005009915.tif 000004
【図３】
2005009915.tif 000005
【図４】
2005009915.tif 000006